(57)【要約】      （修正有）【課題】磁力、遠赤外線、マイナスイオンによる美容健康効果を有する常時装着可能な人体補正器を提供する。【解決手段】磁力、遠赤外線、マイナスイオン効果のある物質を有する粘着シート１に接続手段７を設けて、さらに磁力、遠赤外線、マイナスイオンのある物質を有するバンド１０にも接続手段７を設けて両者を接続し、さらにバンド１０に調節手段１１を設けてバンドの長さを自在に調節できる構造にして、当該粘着シート１を人体に貼付して加齢による弛みをバンド１０のテンションによって吊って保持し即効に弛みを解消するとともに、目立たない常時装着できる構造によって、バンド１０と粘着シート１の磁力、遠赤外線、マイナスイオンによる美容健康効果を常時もたらして、筋肉の増強、マッサージによる血行の改善を施しこの美容健康効果により、根本の弛みの原因を解消する。【選択図】図１
2010187757.tif 000002
【特許請求の範囲】
【請求項１】
人の外皮に貼る左右一対の粘着シート１と左右一対のバンド10と
前記左右の粘着シートの外延部に設けられた接続手段３と前記バンドの一方の端に設けられた着脱可能に連結する接続手段（３，７，８）と、
前記左右バンドに設けられた長短を調節する為の調節手段11からなる人体弛み補正器。
【請求項２】
前記接続手段が粘着シートの外縁部に固定された接続手段3と前記左右バンドの一方の端に固定された接続手段８と接続手段3を着脱可能に連結する接続手段とからなる人体弛み補正器。
【請求項３】
平面,球体，直方体もしくはビーズである形状の体積を有する前記調節手段が前記左右バンドを通すことができる切り込みもしくは穴を1箇所以上設けてある調節手段11からなる人体弛み補正器。
【請求項４】
請求項１にある粘着シートの基材1が透明もしくは半透明のポリエチレンフィルム,防水フィルム、又は塩化ビニール、石油由来素材、もしくは織布、不織布である人体弛み補正器。
【請求項５】
請求項１にある前記粘着シートの基材1がセラミックス、ガーネット、ゲルマニウム、トルマリン、水晶、ゲルマニウム，シリカ、チタン、金、のプラチナ、銀、白金、銅、基材1が金、ヘマタイトからなる電気石材、希土類磁石又は遠赤素子材、又は磁性材料素材を少なくとも１種類を吟入した人体弛み矯正器。
【請求項６】
前記粘着シートの粘着面に  ０．１ｍｍ〜２０ｍｍの大きさからなるセラミックス、ガーネット、ゲルマニウム、トルマリン、水晶、ゲルマニウム，シリカ、チタン、もしくは他の遠赤素子材、電気石材、磁石及び磁性鉱物、材料からなる粒を少なくとも１種類以上有する人体弛み補正器。
【請求項７】
請求項5の前記粘着シートが粘着シート1の表面積よりも大きくカットした透明もしくは半透明の石油由来素材を基布とする粘着補強用シート4に覆われた人体弛み補正器。
【請求項８】
上記粘着補強用シート4がポリエチレンフィルム,防水フィルム、又は塩化ビニールもしくは他の透明もしくは半透明の石油由来素材である人体弛み補正器
【請求項９】
請求項1の前記粘着シート及び請求項8上記粘着補強用シート4の粘着剤層３５の粘着剤がセラミックスパウダー、ガーネットパウダー、ゲルマニウムパウダー、トルマリンパウダー、水晶パウダー、ゲルマニウムパウダー，シリカパウダー、チタンパウダー、金パウダー、プラチナパウダー、ラジウム鉱石パウダー、銀パウダー、ヘマタイトパウダーを少なくとも１種類を吟入した人体弛み矯正器。
【請求項１０】
請求項１の前記粘着シート１が、肌色、ピンク、透明、半透明である人体弛み補正器。
【請求項１１】
請求項1の前記粘着シートの基材がチオクリーンである人体弛み補正器。
【請求項１２】
前記粘着シート１もしくは前記粘着補強用シート４に空気を通す為の微小な切り込み５を設け  ある人体弛み補正器。
【請求項１３】
請求項5にある前記織布、不織布が石油由来素材、天然素材である人体弛み補正器。
【請求項１４】
香料を前記粘着シート１もしくは前記粘着補強用シート４に添加した人体弛み補正器。
【請求項１５】
前記香料がラベンダー、ジャスミン、ヒバ、杉、ヒノキ、レモングラス、ミント、セージ、タイム，バラ、ユリ、もしくは天然植物由来、もしくは合成香料である人体弛み補正器。
【請求項１６】
粘着シート粘着層の粘着剤がサルチル酸メチル、Ｌ−メントール、ビタミンＥ酢酸メチル、ｄＬカンフル、ジブテルヒドロキシルの少なくとも一種類を吟有する粘着剤層を有する人体弛み補正器。
【請求項１７】
ヒルアロン酸、コラーゲン、ビタミンＣ、ビタミンE、ドクダミエキス、朝鮮人参エキスの少なくとも一種類を吟有する粘着剤層を有する人体弛み補正器。
【請求項１８】
請求項1の前記粘着シート１の粘着面が剥離シートで覆われている人体弛み補正器。
【請求項１９】
請求項4請求項9請求項11請求項28の前記粘着シートの粘着面に請求項6にある粒を設けていない人体弛み補正器。
【請求項２０】
粘着シート１もしくは前記粘着補強用シート４に空気を通す為の微小な切り込み５を設けてある人体弛み補正器。
【請求項２１】
前記バンドの接続手段８、もしくは7にメガネチェーン接続手段(図１の２２)を設けた人体弛み補正器。
【請求項２２】
請求項1の前記粘着シート１の粘着面がトルマリン塗料印刷体、又はトルマリンイオンコート塗料体によって覆われたトルマリンパウダー錬入体を有する人体弛み補正器。(実願２０００−５０１１)
【請求項２３】
請求項1にある粘着シートが粘着面の反対面の基材に滑り止めを有する人体弛み補正器。
【請求項２４】
請求項23にある滑り止め17 が粘着剤、天然ゴム材、合成ゴム材、シリコーン材、もしくは突起物,粘着剤である人体弛み補正器。
【請求項２５】
請求項1の前記粘着シート1の粘着剤層が粘着剤を塗布していない部分20を有する人体弛み補正器。
【請求項２６】
粘着シートが、請求項16にある接続手段７と接続するため、粘着シートに接続手段の切り込み16（図5のb）を設けてある人体弛み補正器。
【請求項２７】
前記切り込み部分が金属、合成樹脂、織布、不織布で補強されている人体補正器。
【請求項２８】
粘着シートの形状が楕円、もしくは円形の粘着面の部分に美容もしくは健康効果のあるシップ剤層１８を有うする(図５のa,b)で示す頬用、胸、臀部用の人体弛み補正器。
【請求項２９】
前記粘着シート及び前記バンドの素材がチタニウムを吟有する基材である人体弛み補正器。
【請求項３０】
図2５のaで示す前期粘着シートを貼付する時の装着補助ガイド板。
【請求項３１】
図24のaで示す前期粘着シートを貼付する時の前記ガイド板がその外縁に櫛を有するガイド板。
【請求項３２】
前記請求項１の接続手段３、７，８，３７の基材が、金属及び弾性を有する金属からなる人体弛み補正器。
【請求項３３】
請求項1の前記接続手段７，８、2１がセラミックス、ガーネット、ゲルマニウム、トルマリン、水晶、ゲルマニウム，シリカ、チタン、貝，木、石、金、プラチナ,銀、白金,真鍮、銅、ステンレス、ガラス、石油由来資材、金属を基材とする人体弛み補正器。
【請求項３４】
請求項2の前記粘着シートに固定してある前記接続手段３が、石油由来素材、及び天然素材の糸、ワイヤー、合成樹脂、天然樹脂及び金属及び形状記憶弾性を有する金属素材とする人体弛み補正器。
【請求項３５】
請求項１の前記バンドの基材が合成樹脂、天然樹脂、金属、皮革、布，紙である人体弛み補正器。
【請求項３６】
前記バンドの基材の合成ゴム、天然ゴム、金属、皮革、布がセラミックスパウダー、ガーネットパウダー、ゲルマニウムパウダー、トルマリンパウダー、水晶パウダー、ゲルマニウムパウダー，シリカパウダー、チタンパウダー、金パウダー、プラチナパウダー、ラジウム鉱石パウダー、銀パウダー、ヘマタイトパウダーを少なくとも１種類を有する人体弛み補正器(図１７の23、24、25) 
【請求項３７】
前記バンド基材が合成ゴム、天然ゴム、金属、皮革、布が電気石材、希土類磁石又は遠赤素子    又は磁性材料を少なくとも1種類以上設けてある人体弛み補正器。(図１の9、1；図13の21；図17の25)
【請求項３８】
前記電気石材、希土類磁石又は遠赤素子材、又は磁性材料がセラミックス材、ガーネット材、ゲルマニウム材、トルマリン材、水晶材、ゲルマニウム材，シリカ材、チタン材、金材、プラチナ材、ラジウム鉱石材、銀材、ヘマタイト材である人体弛み補正器。
【請求項３９】
前記バンドの接続手段３９に設けられた紐に調節手段１１を有することによって紐の長短を調節できる人体弛み補正器(図2８)
【請求項４０】
請求項１の体積を有する前記調節手段11が左右前記バンド10が通過できる切込みを１箇所以上設けてある人体弛み補正器(図21)
【請求項４１】
前記体積を有する前記調節手段１１の形状が菅、ビーズ(図1の11)、もしくは固定押さえばね付きリング、バックル(図23の31)、ボタン(図22)、接続手段を有するバンド内を稼動できるリング(図20の29)である人体弛み補正器
【請求項４２】
請求項１の前記調節手段１１の素材が電気石材、希土類磁石又は遠赤素子材、又は磁性材料である人体弛み補正器。
【請求項４３】
バンドの基材が合成樹脂及び天然樹脂からなり、さらに調節手段１１を有し、バンドの四方の端にそれじれ接続手段を設けて他の保持具の接続が可能とないうる伸縮性があり、メガネチェーンとしても使用可能なバンドを有うする人体弛み補正器。
【発明の詳細な説明】
【技術分野】
【０００１】
本発明は人体の老化の現象である皮膚の弛みの補正を図りながら健康効果及び美容効果をもたらす人体弛み補正器に関する。
【背景技術】
【０００２】
特許文献１によると従来品では頬の弛みを物理的に改善するために頬の脇に粘着シート図7の1３、を貼り付けてゴム14で上に吊ることによって弛みを物理的に解消している。
特許文献２によるとまたテープを頬に貼って一方の端を髪留めにて髪に固定してパックしながらリフトするものもある。
【０００３】
またゲルマニウム製のローラーを頬にあて転がすことによって頬のたるみを解消する商品名ゲルマニウムスリムローラーというものもある。(２００９年１月１５日東京新聞広告)
また超音波によって頬の筋肉を体内から引き締めてリフトする商品名超音波美顔器もある。(インターネット上に広告が超音波美顔器として多数ある)
また美容整形手術によるフェイスリフト、及びプチ整形も周知である。(インターネット上に美容整形手術、フェイスリフト、及びプチ整形として広告が多数ある)
以下(図７)により特許文献１の従来のフェイスリフト器を説明する。１３は円形の粘着性テープでその端にはゴムバンド（１４）が連結されている。それぞれの粘着性テープ１３の粘着面を左右の頬の脇に貼り付けてゴムバンド(1４)を、耳や頭部に引っ掛けて吊ってリフトをする器具である。
【先行技術文献】
【特許文献】
【０００４】
【特許文献１】特開２００７-１９０３３７号公報
【特許文献２】特開２００１−３１９９５４号公報
【発明の概要】
【発明が解決しようとする課題】
【０００５】
以下A〜Gは上記文献１に関する従来の技術の欠点である。
【０００６】
A  従来の技術では、バンドに調節手段がないのでのバンドの長さを調節できない。よって個々人間のサイズに対応できないという欠点がある。（特許文献1）
B   従来の技術では、バンドに接続手段がないのでバンドと粘着テープが切り離せず使い捨てになる。また他の形状の粘着テープと交換ができないという欠点がある。（特許文献1）
C  従来の技術では、バンドが通常のゴムであり物理的に吊り上げる効果のみであるので、取り外せばもとの弛んだ状態に戻る。根本の健康及び美容効果を期待できる素材を従来のバンドが有していないという欠点がある。（特許文献1）
D  従来の技術では、バンドが通常のゴムであり  調節手段及び接続手段がないので、バンドにコストかけて美的装飾を施しても１回切りで使い捨てる為に経済的でなく、再利用できずに資源の無駄でありリサイクルの精神に反するという欠点がある。（特許文献1）
E  従来の技術では粘着テープ接続手段がないので直接粘着テープに穴を開けて穴の周囲も補強されることなくゴムを連結させているのでテンションを加えたときに粘着テープ自体が変形してしまい図８、美的景観を損ね、さらに耳にかけるなら通常の概念から人前では肌色であっても自然の状態とは見えず違和感があり装着していることが目立つという欠点がある。（特許文献1）
F  従来の技術では粘着テープの基材及び粘着層の粘着剤が根本の健康及び美容効果を期待できる素材を有しておらず接着効果のみであるので、粘着テープを貼ることによる、根本の健康及び美容効果を期待できないという欠点がある。（特許文献1）
G  従来の技術では体のほかの部分においては粘着シートの形状が不明であり円形であり調節手段、及び接続手段がないので人体のほかの部位での胸及び臀部においては装着に適さない。（特許文献1）
以下H、I 、Jの文献２に関する従来の技術の欠点である
H  美容液の付いたシートを接着するのでシートを透明にしても外見から装着が見えるため人前では装着の場所や時間が限られるという欠点がある。（特許文献２）
I  髪に止める為抜け毛の心配がある。（特許文献２）
J 美容液の付いたシートなので貼った部分だけの美容効果しか期待できない。（特許文献２）
また外出先での吊り上げるという即効の効果も期待できない。
以下K,L,M は周知市販品の技術における欠点である。    
【０００７】
K  ゲルマニウムスリムローラーにおいては手に持っておこなう為、手間と暇がかかり、また吊り上げるという即効の効果も期待できない。
【０００８】
L  超音波美顔器は電源が必要であり、また吊り上げるという即効の効果も期待できない。
【０００９】
M  美容整形は費用も高額であり、術後の結果が期待どうりでなかったり、失敗したりというトラブルが多く、最近では安価であるということで自分で注射などの処置をして化膿するトラブルも問題となっている。
【００１０】
本発明は上記A〜Mに述べた欠点を解決し、即効に弛みを人目につかずに解消して人前でも違和感なく装着でき、同時に本発明を装着することにより、遠赤外線,磁気、マイナスイオン、のマッサージ及び血行改善効力によって、外見のみならず根本からの健康効果及び美容効果をもたらしかつ同時に即効に外見の弛みを解消できる。更に調節手段を設けることによって必要に応じてバンドの長さを調節することができバンドのテンションの強弱を調整して緩めるなら肩の周りに装着できるため肩の周り及び首の回りの筋肉の懲りをほぐして健康効果及び美容効果を場所、時間帯に制限されることなく常時継続させることができる人体弛み補正器とその装着補助ガイド板である。(図6、図１２、図24)
【課題を解決するための手段】
【００１１】
上記目的を達成する為に粘着シート１の素材が電気石材、希土類磁石又は遠赤素子材、又は磁性材料を含む素材からなる左右一対の粘着シート１に、前記粘着シートの粘着面に電気石材又は希土類磁石、遠赤素材、又は磁性材料からなる粒２を設けてある当該左右一対の粘着シート１と、
バンド１０の基材が電気石、又は磁性材料、希土類磁石、遠赤素子材を含有する素材によって構成される左右一対の長短を調節する為の調節手段を有する当該バンド１０とを着脱可能に連結する接続手段３，７，８によって接続させたものである。図１７は上記バンド１０の内構造斜面図である。
【００１２】
上記接続手段３を粘着シート１に固定する。また上記接続手段を左右バンドの一方の端に固定されたでありバンドに固定された接続手段８に接続手段７をもうけて前記接続手段３と接続させる。
【００１３】
また上記調節手段１１は前記左右バンドを前記調節手段１１に設けられた切り込みに通してバンドの他方の端をそれぞれ反対方向に引いて長さを調節することによってしてテンションを高めたり、低めたり調節できる手段である。 (図１は実施図，図６は装着図である。)
前記粘着シートを左右の耳の頬側に沿ってやや髪の生え際近くに貼り付けて前記バンドに当該粘着シートを接続させてバンドの両端を反対方向に引っ張ることによりバンドにテンションがかかり頬が上に吊り上げられる仕組みである。このことにより加齢によりたれてきた頬を物理的に即座に弛んだ頬を上に引き上げることができる。（図６は本考案品の装着図である。）
また請求項４、請求項７、請求項１０の発明により粘着シートは透明もしくは肌色にすることにより外見から判別しにくく、接続手段３は髪に隠れてしまうので外見からは気付かれない。粘着シートが皮膚から容易に剥がれるのを防止する目的で粘着シート１の粘着力を高める為に、粘着補強シート４設ける。さらにバンドはヘアーバンドもしくはカチューシャのように装着できるため違和感もなくファッション性も高い。（図６は本考案品の装着図である。）またバンドをヘアピンで固定することも可能である。
【００１４】
請求項５、請求項６、請求項９、請求項１１の発明により粘着シートの構造と効果は下記である。図1により説明する。圧電性、焦電性、により摩擦、温度差などの外的渉外により電気を生じる粒2もしくは磁性のある粒２と、請求項５、請求項９、の材料を吟入させた素材の粘着性のある貼付材、テープ、もしくはシートをその基材１として用いることによって基材及び部品の材質から出る磁気、遠赤外線、マイナスイオン、の効果のある本発明品を貼付することによって従来のテープでは生じ得ない頬の筋力を増強し目じりの皺さらには、貼付周辺のしみの緩和という根本から解決を期待できる。従来品のテープ自体に効果効能性がないという欠点を解決するものである。さらに本発明品の接続手段及び調節手段からなる吊り上げ構造によって、頬の弛みを外見的に即座に解決しながら、さらに上記の材質と構造による効果によって場所と時間を限定されることなく長時間の貼付が可能となり根本からも弛みを解決しようとするものである。
【００１５】
請求項５  請求項６、請求項9の粘着シートにおける記載のとおり、前記バンドにおいても基材及び部品の材質から出る磁気、遠赤外線、マイナスイオン、によって本発明品を装着すると同時に、装着部位付近の頭部，肩の血行を促してマッサージし、バンドが有うするの伸縮性の構造によって物理的に頬を吊り上げるとあいまって、頭皮をマッサージし、頭皮の弛みを筋肉の増強によって改善して結果頭皮が引き締まりそれが、目じりの皺，顔全体の筋肉を引き締める小顔効果をもたらす。図６は本考案品の人体における装着図である。
【００１６】
請求項３５請求項３６、請求項３７、請求項３８のとおり請求項１のバンドの構造及び基材が、遠赤外線、磁気、マイナスイオン効果を有する為に、装着することによって血行を促して凝りを解消し癒し効果を期待できる。
【００１７】
またに請求項４０、請求項４１、請求項４２にあるような請求項１の調節手段を設けることにより必要のないときは緩めて耳にかけることができバンドに設けられたメガネ接続手段を用いて伸縮性を有するさらに長短を調整が可能なメガネチェーンとしても使用でき、必要に応じて使用方法を変化させて常時遠赤外線、磁気、マイナスイオン効果によって凝りを解消できる。
【００１８】
また請求項３２、請求項３３、請求項３４にあるような接続手段７設けることにより粘着シートとバンドとの取り外しが可能となり随時粘着シートを新しいものと更新することができる。
【発明の効果】
【００１９】
本発明は請求項１から請求項４２に記載したように構成されているので以下のような効果を奏する。
【００２０】
請求項１のバンドと粘着テープを接続する接続手段とバンドの長さを調節する為の調節手段１１を有することにより、第一としてバンドに美容健康効果もたらす構造を設けることができ、第二として使い捨てではなく常時装着でき、さらに即効の弛み取り効果も可能という利点ができる。第三に接続部品を変化させることにより様々な利用方法を発明する。
【００２１】
粘着テープに請求項５、請求項６、請求項９にあるような基材及び素材を設けることにより、第一に貼付部位周辺の血行を促し皺、シミの原因を根本から改善することができ、第二に調節手段という吊り上げ構造を設けることによって外見上即効に弛みを補整することもできるという利点ができる。
【００２２】
さらにバンドに設けた接続手段によって、人体の他の部位の弛みを補整することも可能となる。粘着シートの形状を部位に適した形状にすることにより胸部、臀部のたるみを補整できる。図５のa、ｂ、図６、図９、図１６
請求項１５、請求項１６、請求項１７の記載のとおり皮膚に刺激性の低く保護効果のある素材を粘着層及びシートに有することにより、長時間貼付していてもかぶれない構造である。またマイナスイオン効果とともに癒しの香りの効果も期待できる構造である。
【００２３】
請求項１１粘請求項２９にあるようにチタンを粘着シート及びバンドの基材及び部材に用いることにより低金属アレルギー性、抗菌性を有する事が出来る。
【００２４】
請求項１２、にあるように空気口をもうけて粘着シートが蒸れを防ぎ、図９のeの図案を設けてファッション性を高める
請求項１５請求項１６、請求項２２の記載のような香料、薬剤を粘着シートの粘着層に添加することによって、美容効果、鎮静効果，桂皮鎮痛消炎効果を得る薬剤層18を有する事ができる。請求項２５、請求項２６、請求項２７に記載のとおり、粘着層に粘着剤を設けない層に別の効果のある粘着層及びシップ剤を設けることを可能にし、図９a,b,c,d,,f,は、装着する人体の部位に対応させた粘着シートの形状図である。図５のaは頬用の粘着シートでおもに在宅時就寝時の美容効果の高い人体補正器である。また図５のｂは胸用、臀部用のもので、おもにバストアップ、ヒップアップ効果、腰痛緩和効果のある人体補正器であり日中にも装着できる。また同じシートの粘着面の図１０の２０の部分に別の湿布剤層(図１１の１８)を設けて多効能を持つ張り薬として新たな分野における開発も期待できる。
請求項２５の記載のとおり粘着シートに粘着層を有さない部分を設けることにより、上記(００２４)に記載の、粘着層18を設けることができるのでより美容健康効果を期待できる。また同じシートに二種類以上の湿布剤を有する張り薬として新たな分野における開発も期待できる。
請求項２６、請求項２７にある粘着シート１に設けられた補強手段１９を有する切り込みを前記胸部及び臀部用の粘着シートの接続手段3を設けることにより、顔以外の部位の人体における重量のある部位例えば乳房，臀部の弛みを補正する手段として応用が可能となる。この構造によって本発明品から発する磁気、遠赤外線、マイナスイオンによって装着周辺の凝りと血行を改善し弛みを補強するという効果がある。また乳ガン手術後の養生シートとしての使用も可能である。
粘着シートに設けられた接続手段３７が切り込みを有するのでバンドに連結させたメガネ接続手段２２を切り込みを有うする接続手段３７に接続することも可能である。さらに図２１で示すようにバンドが１本の紐の場合には引接続手段３７の切り込みに掛けても良い。またバンドに設けられた接続手段７が留め金付きフックである時にはそこにメガネの蔓を接続させることができる。
さらに請求項３４にあるように接続手段に形状記憶弾性を有する金属を用いることによって接続手段3の着脱を容易にしかつ外れにくくなるという効果がある。また左右の接続手段3を連結させることにより(図１３)請求項３６、請求項３７請求項３８の遠赤外線、磁気、マイナスイオン効果効果と相まって健康ネックレスとしても使用できる。さらに粘着シートにフック状の接続手段３７もを設け、図１，図１４に示すようにバンドの接続手段を用いてメガネ止めを設けるなら健康メガネチェーンとしても使用でき多様性に富んだものとなる。またバンドにクリップさらにピアスフックを接続手段を用いて設けるなら帽子保持具としても利用できる。
請求項３３、請求項３８の材料からなる接続リング付きリングを前記バンド１０に設けることによって、また他方の端に設けたカン付きパイプによって更なる付属物１９(図１３のa)を追加する事が出来、その追加物が請求項３３、請求項３８の材料からなるにものによるなら、更に美容健康効果を高めることが出来、また美的装飾物を追加するならファッション性を高めることが出来る
図面12はバンドを緩めて耳から肩にかけたときの装着図である。耳から肩にかかったバンド１０とバンドに設けられたビーズ９と調節手段１１から発する遠赤外線、磁気、マイナスイオンによって血行を促し懲りを解消する効果がある。
また図２８で示すようにバンドの接続手段３９に伸縮性のある素材を用いてバンドの吊り上げるテンションを高めたり低めたりも可能となり、よって頭丁部においてはマグネット式の接続手段を用いることができこの場合は接続手段と調節手段の位置を入れ替えることができる。そうすることによって図１７、図２０、図２４、からなるバンドを基材として用いることを可能とし前記バンドによる遠赤外線、磁気、マイナスイオンによって血行を促し懲りを解消する効果が期待できる。バンドを緩めて耳から肩にかけたときにも図１のバンドと同様の効果を得られる。
さらに本発明品を頭部に装着していない吊り上げ効果を有ないときでも、請求項５、請求項６、請求項９、の血行を促進する作用により、請求項１７の肌を保護する粘着剤によって耳の顔側に貼付してある粘着シートはそのまま貼付が可能となり粘着シートの効果を持続させながらその結果として美容健康効果が場所や時間に限られることなく随時期待でき長期的にはシミ、皺を改善し，張りと艶を出し小顔効果がある。また入浴時にも装着可能である。
請求項４、請求項６、請求項２８、請求項２９、請求項３２、請求項３８、請求項４２からなる血行を促進する基材及び素材を粘着シートに有することによって、肌に長時間貼り付けておいても肌荒れを起こすことを回避でき、よって筋肉増強効果が継続的に得られて根本的な引き締め効果を期待できる。
【００２５】
請求項１８にある剥離シートを粘着面に設けることによって、人体への貼り付けを容易にしさらに、粘着面の保護となる。請求項３０、請求項３１にある貼付用補助ガイド板の櫛に接続手段３(図２５)をかけて、次いで当該ガイド板の櫛にて髪を頭部の上方にかきあげ髪のない状態になった耳の脇に当該粘着シートを目的の部位に貼付装着することができる。
【００２６】
請求項５請求項９、請求項１１にある素材を粘着シートに用いることによって、請求項１９にあるように請求項６にある粒を設けない粘着シートの場合でも遠赤外線、磁気、マイナスイオン効果のある粘着シートが可能となる。これにより、使用済みの粘着シートにある前記粒を取り外してその粒を前記請求項６にある粒を設けない粘着シートに設置して再利用が可能となる。
【図面の簡単な説明】
【００２７】
【図１】本発明品人体弛み補整器正面図
【図２】図1のＡ−Ａ‘における断面図である
【図３】図1のＢ−Ｂ‘における断面図
【図４】a,接続手段３の正面図  B、接続手段の正面図
【図５】a頬用シート,  b、胸及び臀部用シート
【図６】本考案品における装着図
【図７】従来弛みとり器
【図８】従来弛みとり器における装着図
【図９】a〜fは粘着シート形状例
【図１０】図5bの胸用及び臀部シート,Ｃ−Ｃ‘ における滑り止めが突起物の場合の断面図
【図１１】図5bの胸用及び臀部シート,Ｃ−Ｃ‘ における滑り止めを設けた場合の断面図
【図１２】本考案品におけるバンドを緩めた時の装着図
【図１３】本考案品のバンドをネックレスとして使用したときの装着図
【図１４】本考案品のバンドをチェーンとして使用したときの装着図
【図１５】本考案品のバンドを携帯電話チェーンとして使用したときの装着図
【図１６】本考案品をヒップアップ補正器として使用したときの装着図
【図１７】バンドの断面図
【図１８】ａ  接続手段        ｂ  接続手段aの側面図        ｃ  接続手段        ｄ  上記接続手段ｃの側面図
【図１９】ａ  接続手段がホックである時の断面図        ｂ  接続手段がマジックテープ（登録商標）である時の正面図        ｃ  接続手段がマジックテープ（登録商標）である時上記ｂの側面図        ｄ  接続手段がビーズ、及びロープ環である時の正面図
【図２０】調節手段斜面図
【図２１】調節手段が結びの時の斜面図
【図２２】調節手段がチェーンの時の斜面図
【図２３】調節手段がバックルの時の斜面図
【図２４】請求項３８を満たす粒がバンドの基材に埋め込まれたバンドの断面図。
【図２５】頬用粘着シート貼付用補助ガイド板
【図２６】上記貼付用補助ガイド板使用図
【図２７】バンドの接続手段に文房具を装備した時の平面図
【図２８】調節手段がマグネットで(38)、左右両端の接続手段に環を通した接続手段（39）を用いたバンドの平面図
【図２９】イヤリングに接続した時の平面図
【図３０】道具を接続する時に使用する時の粘着シートの側面図
【発明を実施するための形態】
【００２８】
本発明の実態の形態について図面を参照にして説明すると、図面1において粘着シートの部分であるが、粘着シート1の粘着面に請求項４の粒２を設置する。更に補強用の透明のシート４を粘着シートの粘着面でないほうに覆うように貼る。補強用の透明のシート４は図にあるように左右対称となっている。更に粘着面には剥離シートを張って保護するとともに貼付用補助ガイド板を使用して装着を容易にする。
更に粘着シートの端には低アレルギー性のある弾性加工を施したチタンからなるフックの接続手段７を設ける。粘着シートに固定された接続手段３は合成樹脂からなる透明もしくは黒、肌色、透明の弾性有するの図４の形状のものを使用すると良い。目立たない色の合成樹脂からなる素材を用いることによって装着が人目に判別しにくくなる利点がある。
更に前記バンド１０においては目立たないように黒、もしくは透明、肌色の合成樹脂、および天然ゴムからなる部材を用いる。
バンドに通すビーズ９、及びリング１２においては遠赤外線、マイナスイオン発生する、セラミック、ブラックシリカ、ブラックトルマリンを使用すると良い。
更に、図面1において上方にある調節手段１１は磁気ビーズとする。これによって遠赤外線、マイナスイオン、磁力効果により頭部の血行を改善してマッサージ効果を高め、さらに頭部から取り外して肩にかけた時にも、肩の凝りをほぐすことができる。バンドの他方の端のビーズ９及び環付きビーズにおいても磁気ビーズ、遠赤外線、マイナスイオン発生するブラックシリカ、ブラックトルマリンを使用すると良い。さらに一方の端にはメガネ接続手段２２を設ける。
【実施例１】
【００２９】
図６は人体各部分の実施例である。    
【実施例２】
【００３０】
図１６は人体臀部における実施例である。バンドの基材に請求項３６、請求項３７をみたして、図１７で示す構造のものが望ましい。
【実施例３】
【００３１】
図13、14、15、２９はバンドの補正器以外の使用例を示している。磁気健康ネックレス、磁気健康メガネチェーン、磁気携帯電話ストラップさらには、イヤリングの止め金のところに接続手段を用いて連結させるなら高価なもしくは紛失しやすいイヤリングの紛失を防止する為のチェーンとしても利用できるとして使用できる実施例である。（図２９）必要に応じて人体補正器としても使用できる。
【実施例４】
【００３２】
図９のeにあるように粘着シートの粘着面でない表面に花柄、アニマル、などの様々な図案を施すこともできる、これにより、装飾効果をもたらす。
【実施例５】
【００３３】
図１８、図１９は接続手段の実施図である。フック、ホック、ボタン、マジックテープ（登録商標）なども使用できる。図１９のｃは、図１９のｂのE〜E’に置ける側面図である。
【実施例６】
【００３４】
図２０、図２１、図２２、図２３、図２８は調節手段の実施図である。可動できるフック付きチョーカー環２０、結束によるもの２１、チェーン２２、バックル２３、フック２４、マグネット２８などがある。上記接続手段、及び調節手段をバンドに固定するものとしてロープ環、ビーズ（図１９のｄ）を接続手段として用いても良い。
【実施例７】
【００３５】
図９は粘着シートの形状実施図である。粒２を有うする粘着シートで粘着補強シートがないものa、粒２を有うする粘着シートで粘着補強シートがあるものb、粒２を有さない粘着シートで粘着補強シートがないもので接続手段の切り込みが樹脂もしくはシートで補強されたものｃ、粒２を有うさない粘着シートで接続手段の切り込みがパウチされた粘着シートｄ、粘着シートの外面に図案があるものe、こめかみ用の粘着シートで、粒２が設けられてあるものｆなどがある。
【実施例８】
【００３６】
図２７はバンドの接続手段８に設けられたフック、バインダー、ホック、開閉機能を有するリング、接着機能を有するテープ類など、保持されるものに適するホルダーによって各種作業道具を接続した装着図。例として鋏、ルーペ、消しゴム、筆記用具、体温計、巻尺、電子メモリー、必要な道具を肩にかけて美容健康バンドとして使用できる。バンドの基材は実施例２で使用するものが望ましい。軽い道具を保持するのであれば、伸縮性を有うする樹脂でも良い。さらに上記道具を保持するために図３０にあるように接続手段を粘着シートの中心部に設けて道具を保持する用途に構造にしても良い。
【産業上の利用可能性】
【００３７】
図13、14、15はバンドの補正器以外の使用例を示している。接続手段８の環にメガネ止め，帽子止め、等のほかの接続部品を連結させることによって、磁気健康ネックレス、磁気健康メガネチェーン、磁気携帯電話ストラップ、電子メモリーストラップ、帽子止めとして使用できる実施例である。必要に応じて補正器としても即座に使用できる。最近では身分証など様々な紐を首にかけることが多くよって首の周りが混雑すること多いがそれを回避でき当該バンドが多機能性を有しているので首周りをすっきりさせて余分な負荷をかけることがなく、さらにバンドが有うするマイナスイオン効果，磁気効果、遠赤外線効果によって筋肉の緊張を緩和するという利点がある。また磁気健康メガネチェーンとして使用する場合にバンドの長さ調節ができ、また伸縮性の素材をバンドの基材に用いることによって着脱が容易になるという従来のメガネチェーンにない新たな利便性を有することができる。
バンドの基材が合成樹脂及び天然樹脂からなり、さらに調節手段１１を有し、バンドの一方の端にメガネ接続手段もしくは環を設けて、本発明の構造によって（図１の２２）伸縮性を有し、長短を変化させることのできる調節手段によって長さを調節できるメガネ保持具、装身具を接続させて（図１３の２１）ネックレスとしても使用可能なバンドを提供できる。また左右バンドの四方の端をそれぞれ図１３に示すように連結させて使用することもでき美容健康効果のある健康ネックレスとしてバンドのみの単独でも使用できるという効果が期待できる。粘着シートとの接続手段を有しているので、人体補正器としても使用できる。
図５のｂにある粘着シートを胸用に使用する場合においては粘着層の反対側に滑り止めを設けることによって、市販のヌーブラの粘着力が低下した場合の粘着機能を再生するための中敷の粘着再生シートとしても利用できる。前記粘着シートに接続手段３を有しているので、バストアップ効果のある人体補正器としても使用できる。臀部に使用するなら、ヒップアップ効果のある人体補正器としても使用できる。請求項16の発明によって腰に張ることによって腰痛を緩和できる。
【００３８】
さらに図１で示す頬用粘着シートについては美容院で宴席、婚礼、などに出席する特別な機会の人の為に装着をオプショナルサービスとして提供できる。その際には本発明品の多種多様な利便性，効能を説明しての実演販売もでき、新たな経済収入も得られる。
【００３９】
さらに段落番号００４６の実施例６で述べられたとおり、当該バンドを各種業務に必要な道具類のホルダーとして肩にかけて肩の凝りをほぐしながら仕事をする事ができるバンドとしてオフィスでの利用方法もある。
事務職には鋏、消しゴム、ルーペ、筆記用具，医療職には体温計、ペン、巻尺、テープ、ホッチキス、美容職ならピン，櫛等を保持できるホルダーなどに便利できる。例として福祉や介護の分野でも利用できる。上記道具を連結させる為に上記(００４８)及び（図30）に示す左右対称でありその中心に接続手段を設けてある粘着シートを用いることができる。
【符号の説明】
【００４０】
１  請求項１における粘着シート。
【００４１】
２  請求項１における,粒
３  請求項１における接続手段
４  請求項１2における粘着補強シート。
５  請求項１0における空気口
６  請求項33における剥離シート
７  26、27、28接続手段
８  請求項１における接続手段
９  請求項３６を満たすビーズ及び粒
１０  バンド
１１  調節手段
１２  環付きビーズ
１３  従来品の粘着テープ
１４  従来品のゴムバンド
１５  補強された接続手段の切り込み
１６  滑り止め突起物
１７  滑り止め
１８  美容効果、健康効果のあるシップ剤
１９  粘着面に設けられた花柄モチーフ
２０  粘着剤を設けていない粘着剤層
２１  装飾品
２２  メガネ接続手段
２３  バンドの基材の構成素材
２４  バンドの基材構成素材
２５  繊維に設けられたバンドの基材
２６  ボタン
２７  ボタンホックの凹面
２８  ホックの凸面
２９  調節手段
３０  バンドの結束部
３１  バックル
３２  櫛
３３  耳引っ掛けガイドライン
３４  粘着シート１の粘着剤層
３５  粘着補強用シート４の粘着剤層
３６  接続手段
３７  接続手段
３８  接続手段
３９  調節手段
【図１】
2010187757.tif 000003
【図２】
2010187757.tif 000004
【図３】
2010187757.tif 000005
【図４】
2010187757.tif 000006
【図５】
2010187757.tif 000007
【図６】
2010187757.tif 000008
【図７】
2010187757.tif 000009
【図８】
2010187757.tif 000010
【図９】
2010187757.tif 000011
【図１０】
2010187757.tif 000012
【図１１】
2010187757.tif 000013
【図１２】
2010187757.tif 000014
【図１３】
2010187757.tif 000015
【図１４】
2010187757.tif 000016
【図１５】
2010187757.tif 000017
【図１６】
2010187757.tif 000018
【図１７】
2010187757.tif 000019
【図１８】
2010187757.tif 000020
【図１９】
2010187757.tif 000021
【図２０】
2010187757.tif 000022
【図２１】
2010187757.tif 000023
【図２２】
2010187757.tif 000024
【図２３】
2010187757.tif 000025
【図２４】
2010187757.tif 000026
【図２５】
2010187757.tif 000027
【図２６】
2010187757.tif 000028
【図２７】
2010187757.tif 000029
【図２８】
2010187757.tif 000030
【図２９】
2010187757.tif 000031
【図３０】
2010187757.tif 000032